(57)【要約】【課題】エレベータの整風装置１において、組立、調整、保守、点検の各作業を行なう際の作業性を向上させること。【解決手段】エレベータの整風装置１はエレベータかご２に取り付けられたフレーム部４と、このフレーム部４上に連結されたパネル部５，５ａとを備えている。フレーム部４と、パネル部５，５ａはいずれも分割可能に構成されている。フレーム部４の外側に位置するパネル部５には、フレーム部４側に向くスタッドボルト１０が固着されている。パネル部５ａがフレーム部４の内側に配置されている場合、フレーム部４の内側にスタッドボルト１０が固着されている。【選択図】  図４
2004338908.tif 000002
【特許請求の範囲】
【請求項１】
エレベータかごに装着されるエレベータかごの整風装置において、
前記エレベータかごに取付けられたフレーム部と、
前記フレーム部に連結されたパネル部とを備え、
前記フレーム部と前記パネル部は、各々分割可能に構成され、
前記パネル部は前記フレーム部の外側に配置されていることを特徴とするエレベータかごの整風装置。
【請求項２】
前記フレーム部と前記パネル部とを締結する締結部材は、前記パネル部内側に固着されていることを特徴とする請求項１記載のエレベータかごの整風装置。
【請求項３】
エレベータかごに装着されるエレベータかごの整風装置において、
前記エレベータかごに取付けられたフレーム部と、
前記フレーム部に連結されたパネル部とを備え、
前記フレーム部と前記パネル部は、各々分割可能に構成され、
前記パネル部は前記フレーム部の内側に配置されていることを特徴とするエレベータかごの整風装置。
【請求項４】
前記フレーム部と前記パネル部とを締結する締結部材は、前記フレーム部内側に固着されていることを特徴とする請求項３記載のエレベータかごの整風装置。
【請求項５】
前記パネル部は開閉自在扉を有することを特徴とする請求項１記載のエレベータかごの整風装置。
【請求項６】
前記フレーム部と前記パネル部との間に緩衝材が介在されていることを特徴とする請求項１記載のエレベータかごの整風装置。
【請求項７】
前記パネル部は制振材からなることを特徴とする請求項１記載のエレベータかごの整風装置。
【請求項８】
前記パネル部に吸音部材を取付けたことを特徴とする請求項１記載のエレベータかごの整風装置。
【発明の詳細な説明】
【０００１】
【発明の属する技術分野】
本発明は、超高速エレベータにおける走行時の空気抵抗を低減するエレベータかごの整風装置に関する。
【０００２】
【従来の技術】
近年ビルの高層化に伴い、ビルに据え付けられるエレベータは超高速で高行程の走行が要求される。エレベータかごの走行速度が速くなると、エレベータかご走行中の空気流の乱れによる騒音や、風圧によるかごの振動が増大し、エレベータ利用客への不快感を与えることとなる。そこで、エレベータかごの上下部に流線形の整風構造を設けて、エレベータかご走行中の空気抵抗を低減するものが提案されている（例えば特許文献１、２、３、４参照）。
【０００３】
また、前記整風構造が、保守・点検・調整作業の妨げとならないよう、点検口カバーが設けられた整風装置も提案されている（例えば特許文献５参照）。
【０００４】
【特許文献１】
特許第２７３４９４３号公報
【特許文献２】
特開平５−３３８９６６号公報
【特許文献３】
特開平６−３０５６６７号公報
【特許文献４】
特開平１１−１１８３８号公報
【特許文献５】
特開平９−１１０３４４号公報
【０００５】
【発明が解決しようとする課題】
上記のような従来エレベータかごの整風装置は、エレベータかごの上下部のかご室、あるいはかご室を支えるかご枠等に取り付けられるが、整風装置の部材が大きい場合、据付・調整時の作業性が悪くなる。また、流線形状の整風装置では、各部材の組み合わせ部において、組立誤差の逃げがなくなり、歪みが生じ易く、整風装置とかご、あるいは整風装置の部材間の接合面にきしみ音が発生し、かご内の乗客に不快感を与えるという問題も発生する。
【０００６】
また、エレベータかご周り、乗場ドア、昇降路機器等の保守・点検作業において、作業台が必要になる場合もあり、保守作業員の作業性が悪くなるという問題もある。
【０００７】
一方、エレベータかごの走行速度が速くなると、整風装置そのものの振動の発生や、整風装置周辺での乱気流や空気圧縮による騒音も問題となってくる。
【０００８】
本発明は、このような点を考慮してなされたものであり、組立・調整・保守・点検の作業性を向上させ、かつエレベータかご走行時の騒音がエレベータかご室内へ伝播することなく、かつ整風装置の振動を低減することができる整風装置を提供することを目的とする。
【０００９】
【課題を解決するための手段】
本発明は、エレベータかごに装着されるエレベータかごの整風装置において、エレベータかごに取付けられたフレーム部と、フレーム部に連結されたパネル部とを備え、フレーム部とパネル部は、各々分割可能に構成され、パネル部はフレーム部の外側に配置されていることを特徴とするエレベータかごの整風装置である。
【００１０】
本発明は、フレーム部とパネル部とを締結する締結部材は、パネル部内側に固着されていることを特徴とするエレベータかごの整風装置である。
【００１１】
本発明は、エレベータかごに装着されるエレベータかごの整風装置において、エレベータかごに取付けられたフレーム部と、フレーム部に連結されたパネル部とを備え、フレーム部とパネル部は、各々分割可能に構成され、パネル部はフレーム部の内側に配置されていることを特徴とするエレベータかごの整風装置である。
【００１２】
本発明は、フレーム部とパネル部とを締結する締結部材は、フレーム部内側に固着されていることを特徴とするエレベータかごの整風装置である。
【００１３】
本発明は、パネル部は開閉自在扉を有することを特徴とするエレベータかごの整風装置である。
【００１４】
本発明は、フレーム部とパネル部との間に緩衝材が介在されていることを特徴とするエレベータかごの整風装置である。
【００１５】
本発明は、パネル部は制振材からなることを特徴とするエレベータかごの整風装置である。
【００１６】
本発明は、パネル部に吸音部材を取付けたことを特徴とするエレベータかごの整風装置である。
【００１７】
【発明の実施の形態】
以下、図面を参照して本発明の実施の形態について説明する。図１乃至図７は本発明によるエレベータかごの整風装置の一実施の形態を示す図である。
【００１８】
図１に示すように整風装置１は、エレベータかご２の上下に装着されている。すなわち、エレベータかご２はかご室２ａと、このかご室２ａを保持するかご枠３とを有し、整風装置１はかご枠３にボルトナット（図示せず）により固定して装着される。
【００１９】
また整風装置１はかご枠３に固定された分割自在のフレーム部４と、フレーム部４に連結されるとともに分割自在の多数のパネル部５，５ａとを有している（図２および図４参照）。
【００２０】
このうちパネル部５はフレーム部４の外側に配置されて連結され、パネル部５ａはフレーム部４の内側に配置されて連結されている。またパネル部５，５ａのうち、パネル部５ａは整風装置１内の保守点検時において高頻度で取り外したり取り付けたりするようになっており、パネル部５は通常はフレーム部４に固定された状態のままとなっている。
【００２１】
またフレーム部４はＬ字やＴ字に加工したアルミニウム板、鋼板等からなるアングルで構成される。各アングルには、かご枠３や整風装置の部材を取り付ける穴加工が施される。
【００２２】
図３（ａ）はフレーム部４を分割した状態を示す図、図３（ｂ）はフレーム部４の接合部を示す図である。図３（ａ）（ｂ）に示すようにフレーム部４は左右２ヵ所のフレーム曲線部４ａと、フレーム曲線部４ａ間を連結するとともにかご枠３に連結されるフレーム直線部４ｂとを有している。
【００２３】
フレーム曲線部４ａおよびフレーム直線部４ｂの接合部は丸穴や長穴の加工がされており、皿ねじ、ナットで結合する構造となっている。図４は、フレーム部４に取り付けられる部材を示すものであり、フレーム部４には制振構造のアルミニウム板、鋼板等からなる複数のパネル部５，５ａが上述のように取り付けられている。またパネル部５には開閉自在の扉６が取り付けられるとともに、パネル部５の一部は三角パネル部７となっている。
【００２４】
なお、パネル部５，５ａとして、他の制振材、例えばポリウレタンフォームを用いてもよい。
【００２５】
図５（ａ）（ｂ）は、フレーム部４に外側から取り付けられるパネル部５を見た正面図と側面図であり、各パネル部５の内側にはフレーム部４に取り付けるためのスタッドボルト（締結部材）１０が複数溶接により固着されている。また、パネル部５，５ａのうちフレーム部４への接合面にはクロロプレンゴム、ブチルゴム等の緩衝材９が外周を縁取る形で取り付けられる。スタッドボルト１０はフレーム部４の取付用の穴に対し、調整ができるよう小さな直径を有している。
【００２６】
またフレーム部４にパネル部５ａを内側から取り付ける場合、フレーム部４の内側にスタッドボルト１０を固着し、パネル部５ａ側に取付け穴を設けてもよい。
【００２７】
またパネル部５，５ａのうちフレーム部４接合箇所の全面には、発泡ウレタン、発泡アルミニウム等の吸音材８が取り付けられる。図６は整風装置１のフレーム部４と、パネル部５，５ａと、扉６と、三角パネル部７とを示す分解図であり、パネル部５，５ａ、扉６、三角パネル部７は、フレーム部４から各々独立して取り外し可能な構造となっている。また図７（ａ）（ｂ）に示すように三角パネル部７はフレーム部４へ蝶番１１で取り付けられている。
【００２８】
ここで図７（ａ）（ｂ）はエレベータかごの整風装置１の三角パネル部７の動作を示す図であって、図７（ａ）は三角パネル部７が閉じた状態を示す図、図７（ｂ）は三角パネル部７が開いた状態を示す図である。
【００２９】
次に整風装置の組立工程について説明する。
【００３０】
まずフレーム曲線部４ａをかご枠３にボルト、ナット類で仮固定する。次にフレーム直線部４ｂをフレーム曲線部４ａ、かご枠３にボルト、ナット類で仮固定する。このようにしてフレーム曲線部４ａとフレーム直線部４ｂとからなるフレーム部４が構成される。フレーム部４が組み終わった段階で、フレーム部４のフレーム曲線部４ａ間の取付部、フレーム直線部４ｂ間の取付部、およびフレーム曲線部４ａおよびフレーム直線部４ｂとかご枠３との間の取付部のボルト、ナット類を増し締めする。次に、三角パネル部７を含むパネル部５とパネル部５ａをフレーム部４にボルト、ナット類および蝶番１１を介して取り付ける。
【００３１】
パネル部５，５ａを取り付ける際、フレーム部４の取付け穴とスタッドボルト１０とのクリアランスや、緩衝材９により、据付誤差やパネル部５の歪みを取り除くことができる。また、フレーム部４の外側に位置するパネル部５にフレーム部４側を向くスタッドボルト１０が固着され、フレーム部４の内側にパネル部５ａが位置する場合、フレーム部４の内側にパネル部５ａ側を向くスタッドボルト１０が固着されているので、パネル部５の外側には、ボルト、ナット類の締結材が出ない形となる。次に扉６を手動係合装置を介してパネル部５に取り付ける。
【００３２】
保守・点検時において扉６が取り外され、整風装置１内に作業員が乗り込み、保守・点検に必要なフレーム部４の内側に位置するパネル部５ａのみが取り外される。三角パネル部７は蝶番１１を介してフレーム部４へ取り付けられるため、三角パネル部７はフレーム部４から取り外すこと無く開閉することができる。
【００３３】
なお、パネル部５，５ａ、扉６、および三角パネル部７は制振材からなっている。このためエレベータかご２の走行時に、風圧により生じる風きり音が抑制される。また整風装置１周りの騒音は、パネル部５の吸音材８により、エレベータかご２のかご室２ａ内への音漏れが低減される。
【００３４】
以上のように本実施の形態によれば、整風装置１がフレーム部４と、扉６を有するパネル部５，５ａと、三角パネル部７とを有し、それぞれが分割構造となっているので、各部材が小さく軽くなり、運搬や方向転換が容易になるため、整風装置１の据付性が向上する。さらに、整風装置１のフレーム部４は骨組み構造のため、パネル部５，５ａに余計な力が掛かりにくくなり、各構成部材４、５，５ａ、６、７は分割自在となっているので、取付誤差の調整が容易になり作業性が向上する。
【００３５】
また整風装置１のフレーム部４が骨組み構造のため、任意のパネル部５，５ａを部分的に取り外すことが可能であり、エレベータかご２の保守点検作業性が向上する。さらに保守点検時に取り外すフレーム部４内側のパネル部５ａはフレーム部４の内側に設けられたスタッドボルト１０により取り付けられる構造となっているので、パネル部５ａを外した際に、パネル部５ａが昇降路に落下することはなく、作業上安全となる。
【００３６】
また、フレーム部４とパネル部５，５ａの間に緩衝材９を設けたことで、接合部のきしみ音を低減することができる。またフレーム部４とパネル部５，５ａとの間の隙間を緩衝材９により塞ぐことにより、隙間風の発生を抑制することが可能となり、エレベータ利用客へ不快感を与えることはない。
【００３７】
また、パネル部５のフレーム部４側およびフレーム部４のパネル部５側にスタッドボルト１０を固着したことにより、外観の見栄えが良くなり、特に昇降路がガラス張りとなる展望用エレベータにおいては、エレベータかご２の意匠性も良くなる。さらに、整風装置１周りの凹凸が少なくなるためで整風効果を高めることができる。また作業においては、作業員が整風装置１の外側に出てボルトを外すことが無いため、作業の安全性も向上する。
【００３８】
また、パネル部５，５ａが制振材料からなっており、さらに吸音材８が設けられているため、エレベータかご２の走行時に発生する整風装置１周りの風きり音が、エレベータかご２のかご室２ａ内へ伝播されにくくなり、整風装置１内で発生する騒音も吸音材８により吸収される。このためエレベータ利用客へ不快感を与えない。さらにパネル部５，５ａが分割構造となっているため、吸音材８の取付の作業性も向上する。
【００３９】
【発明の効果】
以上のように本発明によれば、エレベータかごの整風装置を組立・調整・保守・点検の各作業を行なう際の作業性を向上させることが可能となる。したがって作業時間が短縮され、作業コストが低減し、またエレベータの作業時間の停止時間が短くなる。このことによりエレベータを利用する人への負担も少なくすることができる。
【図面の簡単な説明】
【図１】整風装置が取り付けられたエレベータかご全体の概略を示す斜視図。
【図２】本発明によるエレベータかごの整風装置のフレーム部の組立状態を示す斜視図。
【図３】本発明によるエレベータかごの整風装置のフレーム部の分解状態および接合部を示す図。
【図４】本発明によるエレベータかごの整風装置のパネル部、扉、および三角パネル部の組立状態を示す斜視図。
【図５】本発明によるエレベータかごの整風装置のパネル部の詳細図。
【図６】本発明によるエレベータかごの整風装置のフレーム部の組立状態およびパネル部、点検口、三角パネル部の分解状態の斜視図である。
【図７】本発明によるエレベータかごの整風装置の三角パネル部の動作を示す図。
【符号の説明】
１  整風装置
２  エレベータかご
２ａ  かご室
３  かご枠
４  フレーム部
４ａ  フレーム曲線部
４ｂ  フレーム直線部
５  パネル部
５ａ  パネル部
６  扉
７  三角パネル部
８  吸音材
９  緩衝材
１０  スタッドボルト
１１  蝶番
【図１】
2004338908.tif 000003
【図２】
2004338908.tif 000004
【図３】
2004338908.tif 000005
【図４】
2004338908.tif 000006
【図５】
2004338908.tif 000007
【図６】
2004338908.tif 000008
【図７】
2004338908.tif 000009